(57)【要約】【課題】動画ファイルの概要情報を予め受信者に開示して、受信者が必要とするときは動画ファイルをダウンロードするインターネットによる動画ファイルの送受信方法を提供することを目的とする。【解決手段】送信者から送信される動画ファイルを、送信者の情報機器あるいはサーバ上で作動するプログラムにより、動画ファイルの中から任意の静止画を選択するとともに、動画ファイルの題目、概略内容、ファイルサイズ、その他任意の情報等の文書情報を入力して、静止画と文書情報とからなる動画概要情報を作成し、動画ファイルを、動画ファイルと動画概要情報の対応関係を示す情報とともにサーバに記憶させること特徴とするインターネットによる動画ファイルの送受信方法である。【選択図】  図１
2004194261.tif 000002
【特許請求の範囲】
【請求項１】
インターネットによる動画ファイルの送受信方法であって、送信者は、送信者の情報機器上で作動するプログラムにより、送信する動画ファイルの中から選択した任意の静止画と、動画ファイルの題目、概略内容、ファイルサイズ、その他任意の情報を示した任意文書情報と、からなる動画概要情報を作成し、動画ファイルと動画概要情報とを、インターネット上のサーバに通信手段により送信して、動画ファイルと動画概要情報との対応関係を示す情報とともにサーバの記憶領域に記憶させて、サーバは、動画ファイルに対応した動画概要情報を開示手段により送信者が指定する受信者に対して開示して、動画概要情報の開示を受けた受信者は、動画概要情報を参照した後に、動画ファイルが必要なときは、動画ファイルのダウンロード要求をサーバに送信して、サーバは、受信者からのダウンロード要求により、動画ファイルと動画概要情報との対応関係を示す情報に基づいてサーバから動画ファイルを受信者の情報機器にダウンロードすることを特徴としたインターネットによる動画ファイルの送受信方法
【請求項２】
インターネットによる動画ファイルの送受信方法であって、送信者は、動画ファイルと、送信する動画ファイルの中からの静止画の選択情報と、動画ファイルの題目、概略内容、ファイルサイズ、その他任意の情報を示した任意文書情報と、をインターネット上のサーバに通信手段により送信して、サーバは、サーバ上で作動するプログラムにより、静止画の選択情報に基づき送信された動画ファイルから静止画を抽出するとともに、静止画と送信された任意文書情報とから動画概要情報を作成し、動画ファイルと動画概要情報とを、動画ファイルと動画概要情報との対応関係を示す情報とともに記憶領域に記憶して、動画ファイルに対応した動画概要情報を開示手段により送信者が指定する受信者に対して開示して、動画概要情報の開示を受けた受信者は、動画概要情報を参照した後に、動画ファイルが必要なときは、動画ファイルのダウンロード要求をサーバに送信して、サーバは、受信者からのダウンロード要求により、動画ファイルと動画概要情報との対応関係を示す情報に基づいてサーバから動画ファイルを受信者の情報機器にダウンロードすることを特徴としたインターネットによる動画ファイルの送受信方法
【請求項３】
開示手段は、送信者により指定されたアドレスに対する電子メールであることを特徴とする請求項１又は請求項２に記載のインターネットによる動画ファイルの送受信方法
【請求項４】
開示手段は、サーバ上に開設したポータルサイトに動画概要情報を表示し、受信者がポータルサイトにアクセスして動画概要情報を参照する手段であることを特徴とした請求項１又は請求項２に記載のインターネットによる動画ファイルの送受信方法
【請求項５】
サーバから動画ファイルを受信者の情報機器にダウンロードする方式が、ストリーミング方式であることを特徴とする請求項１から請求項４のいずれかに記載のインターネットによる動画ファイルの送受信方法
【発明の詳細な説明】
【０００１】
【発明の属する技術分野】
本発明は、インターネットによる動画ファイルの送受信方法に関する。
【０００２】
【従来の技術】
インターネット技術の発達や高速回線サービスが徐々に普及するのにともない、各種のデジタル機器等により撮像された映像や、コンピュータ等により作成されたコンピュータグラフィックス等の動画などの動画ファイル（動画と一体となった音声情報も含む。）を、電子メール等により他者との間で送受信する需要が高まっており、インターネットサービスプロバイダー等のサービス事業者でも、サービス提供者に対する動画ファイルの送信サービスや、サーバへの動画ファイル保管サービス、送信用ソフトウェアの提供方法等の開発が進められており、関連する先行技術として特開２００２−１５７４３３号公報や、特開２００２−１１２３３８号公報、特開２００２−３５１９２６号公報、特開２００２−１６３２０１号公報等が開示されている。
【０００３】しかし、動画ファイルのファイルサイズは、一般的に数メガバイトから数百メガバイトと非常に大きく、送信者又は受信者の通信手段の能力によっては、送信又は受信に非常に多くの時間を要するものとなっていた。また、電子メールへの添付により画像ファイルが送信者により送信されたときは、受信者は予め添付されて送信された画像ファイルの内容やファイルサイズを知ることができず、不必要な画像ファイルや受信拒否をしたい画像ファイルまで、メールサーバ等からのダウンロードすることとなり、上述の時間的負担が大きなものとなっていた。
【０００４】
こうしたインターネットによる動画ファイルの送受信にかかる受信者の負担が増大するという問題は、前述の先行技術等においては解決の方法が示されていないとともに、動画ファイルに係る撮像機器類の高度化や、動画ファイル作成ソフト、光通信回線などの高速回線サービスの一層の普及にともない、より深刻なものとなることが懸念されつつある。
【０００５】
【発明が解決しようとする課題】
本発明は、上述のインターネットによる動画ファイルの送受信にかかる問題点に鑑み、動画ファイルを送信するときに、動画ファイルの中から選択した任意の静止画と、動画ファイルの題目、概略内容、ファイルサイズ、その他任意の情報等の文書情報と、からなる動画概要情報を作成し、それを予め受信者に開示して、受信者が、その開示された動画概要情報を参照した上で、必要とするときは動画ファイルをダウンロードする、インターネットによる動画ファイルの送受信方法を提供することを目的とする。
【０００６】
【課題を解決するための手段】
本願発明者らは、上記課題の実現のために鋭意研究を重ねた結果、送信者から送信される動画ファイルを、送信者の情報機器あるいはサーバ上で作動するプログラムにより、動画ファイルの中から任意の静止画を選択するとともに、動画ファイルの題目、概略内容、ファイルサイズ、その他任意の情報等の文書情報を入力して、静止画と文書情報とからなる動画概要情報を作成し、動画ファイルを、動画ファイルと動画概要情報の対応関係を示す情報とともにサーバに記憶させることにより、前記の課題を解決する発明をするにいたった。
【０００７】
すなわち、本願請求項１の発明は、インターネットによる動画ファイルの送受信方法であって、送信者は、送信者の情報機器上で作動するプログラムにより、送信する動画ファイルの中から選択した任意の静止画と、動画ファイルの題目、概略内容、ファイルサイズ、その他任意の情報を示した任意文書情報と、からなる動画概要情報を作成し、動画ファイルと動画概要情報とを、インターネット上のサーバに通信手段により送信して、動画ファイルと動画概要情報との対応関係を示す情報とともにサーバの記憶領域に記憶させて、サーバは、動画ファイルに対応した動画概要情報を開示手段により送信者が指定する受信者に対して開示して、動画概要情報の開示を受けた受信者は、動画概要情報を参照した後に、動画ファイルが必要なときは、動画ファイルのダウンロード要求をサーバに送信して、サーバは、受信者からのダウンロード要求により、動画ファイルと動画概要情報との対応関係を示す情報に基づいてサーバから動画ファイルを受信者の情報機器にダウンロードすることを特徴としたインターネットによる動画ファイルの送受信方法を提供する。
【０００８】
本願請求項２の発明は、インターネットによる動画ファイルの送受信方法であって、送信者は、動画ファイルと、送信する動画ファイルの中からの静止画の選択情報と、動画ファイルの題目、概略内容、ファイルサイズ、その他任意の情報を示した任意文書情報と、をインターネット上のサーバに通信手段により送信して、サーバは、サーバ上で作動するプログラムにより、静止画の選択情報に基づき送信された動画ファイルから静止画を抽出するとともに、静止画と送信された任意文書情報とから動画概要情報を作成し、動画ファイルと動画概要情報とを、動画ファイルと動画概要情報との対応関係を示す情報とともに記憶領域に記憶して、動画ファイルに対応した動画概要情報を開示手段により送信者が指定する受信者に対して開示して、動画概要情報の開示を受けた受信者は、動画概要情報を参照した後に、動画ファイルが必要なときは、動画ファイルのダウンロード要求をサーバに送信して、サーバは、受信者からのダウンロード要求により、動画ファイルと動画概要情報との対応関係を示す情報に基づいてサーバから動画ファイルを受信者の情報機器にダウンロードすることを特徴としたインターネットによる動画ファイルの送受信方法を提供する。
【０００９】
本願請求項３の発明は、開示手段は、送信者により指定されたアドレスに対する電子メールであることを特徴とする請求項１又は請求項２に記載のインターネットによる動画ファイルの送受信方法を提供する。
【００１０】
本願請求項４の発明は、開示手段は、サーバ上に開設したポータルサイトに動画概要情報を表示し、受信者がポータルサイトにアクセスして動画概要情報を参照する手段であることを特徴とした請求項１又は請求項２に記載のインターネットによる動画ファイルの送受信方法を提供する。
【００１１】
本願請求項５の発明は、サーバから動画ファイルを受信者の情報機器にダウンロードする方式が、ストリーミング方式であることを特徴とする請求項１から請求項４のいずれかに記載のインターネットによる動画ファイルの送受信方法を提供する。
【００１２】
【発明の実施の形態】
図１は、本願請求項１の発明の基本システムを示す図である。本発明では、まず、送信者の情報機器において、送信する動画ファイルから任意の静止画を選択するとともに、動画ファイルの題目、概略内容、ファイルサイズ、その他任意の情報を示した任意文書情報を入力して、動画概要情報を作成する。
【００１３】
次に、インターネット上のサーバに、動画ファイルとともに動画概要情報を送信し、サーバの記憶領域に動画ファイルと動画概要情報を記憶するとともに、動画ファイルと動画概要情報との対応関係を示す情報を記憶する。
【００１４】
引き続いて、サーバは、送信者が指定する受信者に対して、動画ファイルに対応した動画概要情報を開示手段により開示して、動画概要情報の開示を受けた受信者が、動画ファイルの配信を希望したときは、動画ファイルのダウンロード要求がサーバーに送信されて、動画ファイルが受信者の情報機器にダウンロードされるものである。
【００１５】
動画概要情報の開示手段は、本願請求項３及び請求項４の発明のように、受信者に対する電子メールによるものでもよいし、サーバ上に開設したポータルサイトに動画概要情報が表示され、受信者がポータルサイトにアクセスして動画概要情報を参照して行う手段でもよい。
【００１６】
さらに、受信者の情報機器への動画ファイルのダウンロードの方式については、本願請求項５の発明のように、ストリーミング方式によるものでもよい。
【００１７】
図２は、本願請求項２の発明の基本システムを示す図である。本発明では、まず、送信者の情報機器において、動画ファイルの中から任意の静止画を選択するとともに、動画ファイルの題目、概略内容、ファイルサイズ、その他任意の情報を示した任意文書情報を入力したうえで、インターネット上のサーバに、動画ファイルとともに静止画の選択情報と任意文書情報を送信する。
【００１８】
次に、サーバはサーバ上で作動するプログラムにより、送信された静止画の選択情報に基づき動画ファイルより静止画を抽出し、抽出された静止画と任意文書情報とから動画概要情報を作成する。動画ファイルと作成された動画概要情報とは、動画ファイルと動画概要情報との対応関係を示す情報とともにサーバの記憶領域に記憶する。
【００１９】
引き続いて、サーバは、送信者が指定する受信者に対して、動画ファイルに対応した動画概要情報を開示手段により開示して、動画概要情報の開示を受けた受信者が、動画ファイルの配信を希望したときは、動画ファイルのダウンロード要求がサーバーに送信されて、動画ファイルが受信者の情報機器にダウンロードされるものである。
【００２０】
動画概要情報の開示手段は、本願請求項３及び請求項４の発明のように、受信者に対する電子メールによるものでもよいし、サーバ上に開設したポータルサイトに動画概要情報が表示され、受信者がポータルサイトにアクセスして動画概要情報を参照して行う手段でもよい。
【００２１】
さらに、受信者の情報機器への動画ファイルのダウンロードの方式については、本願請求項５の発明のように、ストリーミング方式によるものでもよい。
【００２２】
本発明は、上記の説明に限定されることなく、特許請求の範囲に記載された発明の範囲内で、種々の変更が可能であり、それらも本発明の範囲内に包含されることはいうまでもない。
【００２３】
【発明の効果】
本願発明のインターネットによる動画ファイルの送受信方法によれば、動画ファイルを送信するときに、動画ファイルの中から選択した任意の静止画と、動画ファイルの題目、概略内容、ファイルサイズ、その他任意の情報等の文書情報と、からなる動画概要情報を作成し、それを予め受信者に開示して、受信者が、その開示された動画概要情報を参照した上で、必要とするときは動画ファイルをダウンロードする、インターネットによる動画ファイルの送受信方法を提供することを提供できる。
【図面の簡単な説明】
【図１】本願請求項１の発明の基本システムを示す。
【図２】本願請求項２の発明の基本システムを示す。
【図１】
2004194261.tif 000003
【図２】
2004194261.tif 000004